(57)【要約】【課題】スキャン処理して保存した画像情報を点検した結果に基づき、文書の再読み取り、文書の細断、あるいは文書の外部への取り出しを自動的に行うことが可能な文書処理装置を提供する。【解決手段】文書処理装置は、紙葉類の画像情報を読み取るスキャナ部（５）と、紙葉類を細断するシュレーダ部（１２）と、スキャナ部で読み取った画像情報を表示する画像表示部（２１）と、スキャナ部で読み取りを終えた紙葉類を一時的に保管する保管部（３４）と、スキャナ部と保管部との間を順送逆送可能な第１搬送部（３１、３６，３８、３２）と、保管部からシュレーダ部へ紙葉類を搬送する第２搬送部（３２、３６、４０）と、画像表示部の画像の良否を点検した結果に基づき、保管部にあるスキャナ部で読み取りを終えた紙葉類を、第１搬送部を介してスキャナ部へ送り再読み取りするか第２搬送部を介してシュレーダ部へ送り細断するかを制御する制御部（２０）とを備えることを特徴とする。【選択図】  図２
2004228684.tif 000002
【特許請求の範囲】
【請求項１】
紙葉類の画像情報を読み取るスキャナ部と、
紙葉類を細断するシュレーダ部と、
前記スキャナ部で読み取った画像情報を表示する画像表示部と、
前記スキャナ部で読み取りを終えた紙葉類を一時的に保管する保管部と、
前記スキャナ部と前記保管部との間を順送逆送可能な第１搬送部と、
前記保管部から前記シュレーダ部へ紙葉類を搬送する第２搬送部と、
前記画像表示部の画像の良否を点検した結果に基づき、前記保管部にある前記スキャナ部で読み取りを終えた紙葉類を、前記第１搬送部を介して前記スキャナ部へ送り再読み取りするか前記第２搬送部を介して前記シュレーダ部へ送り細断するかを制御する制御部と
を備えることを特徴とする文書処理装置。
【請求項２】
前記保管部から外部へ紙葉類を排出する第３搬送部を備え、
前記制御部は、前記画像表示部の画像の良否を点検した結果に基づき、前記保管部にある前記スキャナ部で読み取りを終えた紙葉類を、前記第１搬送部を介して前記スキャナ部へ送り再読み取りするか、前記第２搬送部を介して前記シュレーダ部へ送り細断するか、あるいは前記第３搬送部を介して外部へ排出するかを制御することを特徴とする請求項１に記載の文書処理装置。
【請求項３】
前記保管部は、前記第１搬送部及び前記第２搬送部を構成する搬送具で構成されていることを特徴とする請求項１に記載の文書処理装置。
【請求項４】
前記保管部は、前記第１搬送部と前記第２搬送部の合流部に紙葉類の挿入口を有することを特徴とする請求項１に記載の文書処理装置。
【請求項５】
前記保管部は、複数枚の紙葉類を保管可能であることを特徴とする請求項１に記載の文書処理装置。
【請求項６】
前記制御部は、ネットワークシステムにより遠隔操作が可能である
ことを特徴とする請求項１に記載の文書処理装置。
【発明の詳細な説明】
【０００１】
【発明の属する技術分野】
本発明は、文書処理装置に係り、特に、スキャナ処理とシュレッダ処理を一体的に処理できる文書処理装置に関する。
【０００２】
【従来の技術】
スキャナ装置とシュレッダ装置とを組み合わせた文書処理装置が種々提案されている。
【０００３】
従来の文書処理装置は、例えば、画像記憶装置、印刷装置、ネットワーク制御装置、スイッチ、画像認識装置、入力装置を組み合わせ、画像情報の保存を目的とした装置である。
【０００４】
しかしながら、従来の文書処理装置は、スキャナ処理によって文書情報を画像情報として保存しただけであり、保存した画像情報が正しくスキャナ処理されたた否かについて点検を行うことを想定したものではなかった。
【０００５】
このために、スキャン処理して保存した画像情報を点検した結果に基づき、文書の再読み取り、文書の細断、あるいは文書の外部への取り出しを、自動的に行うことができなかった。
【０００６】
【特許文献１】
特開２０００−４２４４０号公報
【特許文献２】
特開２００２−１５８８１５号公報
【特許文献３】
特開２０００−２５５９０９号公報
【特許文献４】
特開２０００−４２４４０号公報
【特許文献５】
特開平１０−２４９２２８号公報
【０００７】
【発明が解決しようとする課題】
そこで、従来の文書処理装置には、次のような問題点があった。
（１）紙文書をスキャナにて読み取り、電子化したイメージ情報へ変換する際、紙の搬送に伴うブレや位置ずれによる読み取り誤りが生じる可能性がある。このため、読み取った紙文書を破砕・廃棄する前に、人間の目視による点検・確認が必要となる。目視点検しないで、スキャナで読み取り後、すぐにそのまま連続的に紙文書を廃棄してしまうと、イメージ情報を正しく電子的に復元できない場合が発生することとなり、電子化処理の信頼性が損なわれる。
【０００８】
（２）スキャナによる読み取り誤りがあった場合、一旦スキャナ装置から出力された紙文書を、再度スキャナ装置へ入力して再読み取りを行うことになるが、この際、従来の文書処理装置では紙文書を手動にてスキャナ装置へ再セットする必要がある。読み取りを終えた紙文書の中から、読み取り誤りを生じたものだけを抽出し、再度スキャナへセットする手動操作は非常に煩雑で、効率が悪い作業となる。
【０００９】
（３）スキャナによる読み取りと目視による点検・確認を終えた紙文書を一枚毎または複数枚一括でシュレッダへ投入する際に、手動にてシュレッダの入力部へセットする必要がある。
【００１０】
（４）上記のように、スキャナとシュレッダという必要な構成装置を単純に一体的に組み合わせるだけでは、スキャナによる読み取り後の目視点検・確認の結果に依存して次の処理を決める際に、再スキャンの対象文書の抽出、スキャン終了後の紙文書のシュレッダへのセット等の操作を手動で行う必要がある。このため、煩雑であると同時に紙文書の電子化処理を効率的に実現できないという問題があった。
【００１１】
そこで、本発明の目的は、上記従来技術の有する問題を解消し、スキャン処理して保存した画像情報を点検した結果に基づき、文書の再読み取り、文書の細断、あるいは文書の外部への取り出しを自動的に行うことが可能な文書処理装置を提供することである。
【００１２】
【課題を解決するための手段】
上記目的を達成するために、本発明の文書処理装置は、紙葉類の画像情報を読み取るスキャナ部と、紙葉類を細断するシュレーダ部と、前記スキャナ部で読み取った画像情報を表示する画像表示部と、前記スキャナ部で読み取りを終えた紙葉類を一時的に保管する保管部と、前記スキャナ部と前記保管部との間を順送逆送可能な第１搬送部と、前記保管部から前記シュレーダ部へ紙葉類を搬送する第２搬送部と、前記画像表示部の画像の良否を点検した結果に基づき、前記保管部にある前記スキャナ部で読み取りを終えた紙葉類を、前記第１搬送部を介して前記スキャナ部へ送り再読み取りするか前記第２搬送部を介して前記シュレーダ部へ送り細断するかを制御する制御部とを備えることを特徴とする。
【００１３】
また、前記保管部から外部へ紙葉類を排出する第３搬送部を備え、前記制御部は、前記画像表示部の画像の良否を点検した結果に基づき、前記保管部にある前記スキャナ部で読み取りを終えた紙葉類を、前記第１搬送部を介して前記スキャナ部へ送り再読み取りするか、前記第２搬送部を介して前記シュレーダ部へ送り細断するか、あるいは前記第３搬送部を介して外部へ排出するかを制御することを特徴とする。
【００１４】
また、前記保管部は、前記第１搬送部及び前記第２搬送部を構成する搬送具で構成されていることを特徴とする。
【００１５】
また、前記保管部は、前記第１搬送部と前記第２搬送部の合流部に紙葉類の挿入口を有することを特徴とする。
また、前記保管部は、複数枚の紙葉類を保管可能であることを特徴とする。
【００１６】
上述の発明において、文書処理装置は保管部を備えるので、スキャン部で読み取りを終えた紙葉類を保管部に一時的の保管し、読み取った画像情報を点検した結果に基づき、文書の再読み取り、文書の細断、あるいは文書の外部への取り出しを第１搬送部や第２搬送部を介して自動的に行うことが可能になる。
また、前記制御部は、ネットワークシステムにより遠隔操作が可能であることを特徴とする。
【００１７】
【発明の実施の形態】
以下、本発明の文書処理装置の実施の形態について説明する。
まず図１を参照し、本発明の第１の実施の形態について説明する。文書処理装置の上部には処理対象である紙葉類をストックする紙ストック部１が設けられており、紙ストック部１に隣接する入口部２から紙葉類が１枚ずつ入口部２の下部に設けられた一対のフィードローラ３へ渡される。フィードローラ３の下流部にはラインセンサ等からなるスキャナ部５が配設されている。フィードローラ３は正逆転可能であり、入口部２の紙葉類をスキャナ部５へ供給し、また必要に応じてスキャナ部５から入口部２へ紙葉類を逆送する。スキャナ部５のすぐ下流側には正逆転可能な一対の第１ローラ７と、第１ローラ７の下流側に正逆転可能な一対の第２ローラ８が配設されている。第１ローラ７と第２ローラ８とは鉛直方向に配設されている。第２ローラ８の下流側には一対のフィードローラ１０が配設されている。第２ローラ８の下流側には紙葉類を細断するシュレーダ部１２が配設されている。フィードローラ１０は主に正転を行い、紙葉類をシュレーダ部１２へ供給する。シュレーダ部１２で細断された紙葉類は紙屑箱１３に堆積される。符合１５は紙葉類の搬送方向を切り換える搬送方向切り換え部である。
【００１８】
また、文書処理装置は、スキャナ部５で読み取られた紙葉類の画像情報を表示するイメージ表示部としての画像表示部２１と、スキャナ部５で読み取りを終えた紙葉類を一時的に保管する保管部９と、フィードローラ３、スキャナ部５、第１ローラ７、第２ローラ８、フィードローラ１０、シュレーダ部１２等を所定の制御情報を与える制御部２０とを備えている。
【００１９】
操作者は、画像表示部２１におけるイメージ情報を点検し、紙葉類の画像情報が正しく得られているか否か、あるいはシュレーダ部１２で細断してよい紙葉類であるか否かを判断する。また、制御部２０には、操作部２２と電子蓄積部２３が接続されている。操作者は、その判断に基づいて、スキャナ部５へ紙葉類を送り返し再読み取りするか、あるいはシュレーダ部１２へ紙葉類を送り細断するかを操作部２２を介し制御部２０へ指示する。
【００２０】
本実施の形態では、保管部９は第１ローラ７と第２ローラ８とから構成されている。スキャナ部５で読み取りを終えた紙葉類は、その紙葉類の上端が第１ローラ７によって保持され他端が第２ローラ８によって保持されることが可能であり、この紙葉類を保持した状態で第１ローラ７と第２ローラ８とが停止することによってスキャナ部５で読み取りを終えた紙葉類を一時的に保管することが可能になる。
【００２１】
スキャナ部５と保管部９との間を順送逆送可能な第１搬送部は、フィードローラ３と第１ローラ７と第２ローラ８とから構成されている。保管部９からシュレーダ部１２へ紙葉類を搬送する第２搬送部は、第１ローラ７と第２ローラ８とフィードローラ１０とから構成されている。保管部９から外部へ紙葉類を排出する第３搬送部は、逆転する第１ローラ７と第２ローラ８とフィードローラ３とから構成されている。
【００２２】
また、画像表示部２１や操作部２２等は文書処理装置の本体に一体的に設けられている必要はなく、ＬＡＮやインターネットなどのネットワークシステムと結合して組み合わせることにより、制御部２０を遠隔操作が可能なように構成することも可能である。このように、ネットワークシステムと結合することにより、画像表示部２１の画像の良否を点検することや、この点検結果に基づき保管部９にあるスキャナ部３で読み取りを終えた紙葉類を、再読み取りするか、シュレーダ部１２で細断するか、あるいは外部へ排出するかを遠隔制御することが可能になる。
【００２３】
なお、スキャナ部５による読み取り速度と、第１搬送部及び第２搬送部による紙葉類の搬送速度と、シュレーダ部１２の細断速度とは、各々の機能が互いに干渉せずかつ効率的になるように、処理速度と搬送速度とは制御部２０によって制御される。
【００２４】
また、紙葉類の搬送方向に切り換えは、操作部２２における指示に基づいて制御部２０で行う以外に、搬送方向切り換え部１５を手動で指示することによっても行うことができる。
【００２５】
なお、搬送具として第１ローラ７や第２ローラ８等のローラを例にして説明したが、搬送具としてはローラに限らずベルトやツメ類を用いるようにしてもよい。
【００２６】
本実施の形態に係る文書処理装置の作用について説明する。
スキャナ部５で読み取った紙葉類は保管部９で一時的に保管される。一方、操作者はスキャナ部５で読み取った紙葉類の画像情報を点検し、紙葉類の画像情報が読み取られているか、例えば、下半分の一部のみが読み取られていたり、斜め方向から読み取られていたりすることはなく正しく読み取られているか否かを判断する。また、操作者はスキャナ部５で読み取った紙葉類の画像情報を点検し、シュレーダ部１２によって細断してよい紙葉類であるか否かを判断する。
【００２７】
スキャナ部５によって正しく読み取られた紙葉類であって細断処理してもよいと操作者によって判断された紙葉類は、操作者による操作部２２を介した制御部２０への指示により、停止していた第１ローラ７と第２ローラ８が正転し、フィードローラ１０を経てシュレーダ部１２へ送られ細断処理され、紙屑として紙屑箱１３に堆積される。
【００２８】
スキャナ部５によって正しく読み取られた紙葉類であって細断処理すべきでない重要な紙葉類であると操作者によって判断された紙葉類は、操作者による操作部２２を介した制御部２０への指示により、停止していた第１ローラ７と第２ローラ８が逆転しさらにフィードローラ３が逆転し、スキャナ部５を通過して外部としての入口部２から排出され、操作者によって取り出される。
【００２９】
スキャナ部５によって正しく読み取られていないと操作者によって判断された紙葉類は、操作者による操作部２２を介した制御部２０への指示により、停止していた第１ローラ７と第２ローラ８が逆転しスキャナ部５へ送られ、スキャナ部５で再読み取りが行われる。操作者は、再読み取りがおこなわれた画像情報を点検し、上記と同様な判断を行い、判断結果に基づいて操作部２２を介して指示する。
【００３０】
上述のように、本発明の実施の形態によれば、紙葉類の搬送に伴うブレや位置ずれによる読み取り誤りが生じた場合であっても、読み取った紙葉類を細断処理する前に点検を行うことができ、不本意に紙葉類の画像情報を失うことを確実に回避することができる。
【００３１】
また、スキャナ部５による読み取り誤りがあった場合においても、操作者の手動に依らず自動的に再読み取りを行うことができる。
【００３２】
また、保管部９はスキャナ部５からシュレーダ部１２への紙葉類の搬送を兼ねる第１ローラ７と第２ローラ８とから構成されているので、文書処理装置を極めて簡易に構成することができる。
【００３３】
次に、図２を参照し、本発明の第２の実施の形態について説明する。文書処理装置の上部には処理対象である紙葉類をストックする紙ストック部１が設けられており、紙ストック部１に隣接する入口部２から紙葉類が１枚ずつ入口部２の下部に設けられた一対のフィードローラ３へ渡される。フィードローラ３の下流部にはスキャナ部５が配設されている。スキャナ部５のすぐ下流側には正逆転可能な一対の第１ローラ３１と、第１ローラ３１の下流側に正逆転可能な一対の第２ローラ３２が配設されている。第２ローラ３２の下流側にはスキャナ部５で読み取りを終えた紙葉類を一時的に保管する箱体からなる保管部３４が水平に配設されている。保管部３４の入口側には、保管部３４に保管されている紙葉類を再読み取りするためにスキャナ部５へ送るか、細断するためにシュレーダ部１２へ送るかの送路を切り換えるシャッタ３６が設けられている。第１ローラ３１と第２ローラ３２との間にはスキャナ部５と保管部３４との間で紙葉類を搬送する搬送路３８が形成されており、第２ローラ３２とフィードローラ１０との間には保管部３４に保管された紙葉類をシュレーダ部１２へ搬送する搬送路４０が形成されている。
【００３４】
また、文書処理装置は、スキャナ部５で読み取られた紙葉類の画像情報を表示する画像表示部２１と、スキャナ部５で読み取りを終えた紙葉類を一時的に保管する保管部３４と、フィードローラ３、スキャナ部５、第１ローラ３１、第２ローラ３２、シャッタ３６，フィードローラ１０、シュレーダ部１２等は制御部２０によって制御される。
【００３５】
操作者は、画像表示部２１におけるイメージ情報を点検し、紙葉類の画像情報が正しく得られているか否か、あるいはシュレーダ部１２で細断してよい紙葉類であるか否かを判断する。操作者は、その判断に基づいて、スキャナ部５へ紙葉類を送り返し再読み取りするか、あるいはシュレーダ部１２へ紙葉類を送り細断するかを操作部２２を介し制御部２０へ指示する。
【００３６】
本実施の形態では、保管部３４は箱体で形成されているので、前述の保管部９とは異なり、複数枚の紙葉類を保管することが可能である。このため、スキャナ部５で読み取りを終えた紙葉類を１枚毎に画像表示部２１で点検することを必要としない。複数枚の紙葉類を読み取りを行い保管部３４に保管し、その後に、操作者は都合のつくタイミングで複数の紙葉類をまとめて点検することが可能である。この場合、保管部３４に保管された紙葉類は、スキャナ部５で読み取られた順番と保管部３４で重ねられている順番との関係が制御部２０によって特定されおり、操作者が点検している紙葉類が保管部３４にあるどの紙葉類であるかを特定することが可能である。
【００３７】
スキャナ部５と保管部３４との間を順送逆送可能な第１搬送部は、フィードローラ３と第１ローラ３１と第２ローラ３２と搬送路３８とから構成されている。保管部３４からシュレーダ部１２へ紙葉類を搬送する第２搬送部は、第２ローラ３２とフィードローラ１０と搬送路４０とから構成されている。保管部３４から外部へ紙葉類を排出する第３搬送部は、逆転する第１ローラ３１と第２ローラ３２と搬送路３８とフィードローラ３とから構成されている。保管部３４は、第１搬送部と第２搬送部の合流部に紙葉類の挿入口３４ａを有する。
【００３８】
本実施の形態に係る文書処理装置の作用について説明する。
スキャナ部５で読み取った１枚あるいは複数枚の紙葉類は保管部３４で一時的に保管される。一方、操作者はスキャナ部５で読み取った１枚あるいは複数枚の紙葉類の画像情報を点検し、紙葉類の画像情報が読み取られているか、例えば、下半分の一部のみが読み取られていたり、斜め方向から読み取られていたりすることはなく正しく読み取られているか否かを判断する。また、操作者はスキャナ部５で読み取った紙葉類の画像情報を点検し、シュレーダ部１２によって細断してよい紙葉類であるか否かを判断する。
【００３９】
スキャナ部５によって正しく読み取られた紙葉類であって細断処理してもよいと操作者によって判断された紙葉類は、操作者による操作部２２を介した制御部２０への指示により、シャッタ３６が搬送路３８の側から搬送路４０の側へ切り換えられ、搬送路４０を経てシュレーダ部１２へ送られ細断処理され、紙屑として紙屑箱１３に堆積される。
【００４０】
スキャナ部５によって正しく読み取られた紙葉類であって細断処理すべきでない重要な紙葉類であると操作者によって判断された紙葉類は、操作者による操作部２２を介した制御部２０への指示により、シャッタ３６が搬送路３８の側に設定され、第１ローラ３１と第２ローラ３２が逆転しさらにフィードローラ３が逆転し、搬送路３８を経てスキャナ部５を通過して外部としての入口部２へ排出され、操作者によって取り出される。
【００４１】
スキャナ部５によって正しく読み取られていないと操作者によって判断された紙葉類は、操作者による操作部２２を介した制御部２０への指示により、シャッタ３６が搬送路３８の側に設定され、第１ローラ３１と第２ローラ３２が逆転しスキャナ部５へ送られ、スキャナ部５で再読み取りが行われる。操作者は、再読み取りがおこなわれた画像情報を点検し、上記と同様な判断を行い、判断結果に基づいて操作部２２を介して指示する。再読み取りされた紙葉類は保管部３４に保管され、操作者による同様の点検を待つ。
【００４２】
上述のように、本発明の実施の形態によれば、紙葉類の搬送に伴うブレや位置ずれによる読み取り誤りが生じた場合であっても、読み取った紙葉類を細断処理する前に点検を行うことができ、不本意に紙葉類の画像情報を失うことを確実に回避することができる。
【００４３】
また、スキャナ部５による読み取り誤りがあった場合においても、操作者の手動に依らず自動的に再読み取りを行うことができる。
【００４４】
また、保管部３４はスキャナ部５における読み取りを終えた複数枚の紙葉類を保管することが可能であるので、操作者は、画像の点検作業やこの点検作業結果に基づく再読み取り指示、取り出し指示、細断指示等の処理指示を、複数の紙葉類に対しまとめて自動的に行うことができ、作業効率を上げることができる。
【００４５】
次に、図３を参照し、本発明の第３の実施の形態について説明する。文書処理装置の上部には処理対象である紙葉類をストックする紙ストック部１が設けられており、紙ストック部１に隣接する入口部２から紙葉類が１枚ずつ入口部２の下部に設けられた一対のフィードローラ３へ渡される。フィードローラ３の下流部にはスキャナ部５が配設されている。スキャナ部５のすぐ下流側には正逆転可能な一対の第１ローラ３１と、第１ローラ３１の斜め方向の下流側に正逆転可能な一対の第２ローラ４４が配設されている。第１ローラ３１と第２ローラ４４の間の傾斜した搬送路には、紙葉類を支持する支持板４６が配設されている。
【００４６】
本実施の形態では、第１ローラ３１と第２ローラ４４と保持板４６とによって、スキャナ部５で読み取りを終えた紙葉類を一時的に保管する保管部５０が構成されている。保管部５０に紙葉類を保持する場合、紙葉類の上端と下端とが支持板４６を間にして各々停止した第１ローラ３１と第２ローラ４４に挟まれる。
【００４７】
第２ローラ４４とフィードローラ１０との間にくの字型の搬送路５２が形成されている。支持板４６と対向する位置には、外部へ紙葉類を取り出すための出口部５４が形成されている。出口部５４の近傍には、シャッタ４９が設けられている。シャッタ４９は、スキャナ部５で読み取りを終えて紙葉類を保管部５０に保管する場合には支持板４６に沿ってあり、出口部５４から紙葉類を取り出す場合には出口部５４側に切り換えられる。
【００４８】
スキャナ部５で読み取りを終えて保管部５０に保管された紙葉類が、操作者の点検により細断すべきでなく保存すべき紙葉類と判断された場合には、第１ローラ３１と第２ローラ４４との間に挟まれて保持されていた紙葉類は、第１ローラ３１と第２ローラ４４が正転し紙葉類の上端が第２ローラ４４に挟まれる位置まで移動し、次にシャッタ４９が出口部４９側へ切り換えられとともに第２ローラ４４が逆転し紙葉類が出口部４９へ送り出される。
【００４９】
また、文書処理装置は、スキャナ部５で読み取られた紙葉類の画像情報を表示する画像表示部２１と、保管部５０と、フィードローラ３、スキャナ部５、第１ローラ３１、第２ローラ４４、シャッタ４９，フィードローラ１０、シュレーダ部１２等は制御部２０によって制御される。
【００５０】
操作者は、画像表示部２１におけるイメージ情報を点検し、紙葉類の画像情報が正しく得られているか否か、あるいはシュレーダ部１２で細断してよい紙葉類であるか否かを判断する。操作者は、その判断に基づいて、スキャナ部５へ紙葉類を送り返し再読み取りするか、あるいはシュレーダ部１２へ紙葉類を送り細断するかを操作部２２を介し制御部２０へ指示する。
【００５１】
本実施の形態では、保管部５０は前述の保管部９と同様に１枚ずつ紙葉類を保持する。
スキャナ部５と保管部５０との間を順送逆送可能な第１搬送部は、フィードローラ３と第１ローラ３１と支持板４６が配設された搬送路５１と第２ローラ４４とから構成されている。保管部５０からシュレーダ部１２へ紙葉類を搬送する第２搬送部は、第２ローラ４４とフィードローラ１０と搬送路５２とから構成されている。保管部５０から外部へ紙葉類を排出する第３搬送部は、正逆転可能な第２ローラ４４と搬送路５１とシャッタ４９とから構成されている。
【００５２】
本実施の形態に係る文書処理装置の作用について説明する。
スキャナ部５で読み取った紙葉類は保管部５０で一時的に保管される。一方、操作者はスキャナ部５で読み取った紙葉類の画像情報を点検し、紙葉類の画像情報が読み取られているか、例えば、下半分の一部のみが読み取られていたり、斜め方向から読み取られていたりすることはなく正しく読み取られているか否かを判断する。また、操作者はスキャナ部５で読み取った紙葉類の画像情報を点検し、シュレーダ部１２によって細断してよい紙葉類であるか否かを判断する。
【００５３】
スキャナ部５によって正しく読み取られた紙葉類であって細断処理してもよいと操作者によって判断された紙葉類は、操作者による操作部２２を介した制御部２０への指示により、停止していた第１ローラ３１第２ローラ４４が正転し、搬送路５２とフィードローラ１０を経てシュレーダ部１２へ送られ細断処理され、紙屑として紙屑箱１３に堆積される。
【００５４】
スキャナ部５によって正しく読み取られた紙葉類であって細断処理すべきでない重要な紙葉類であると操作者によって判断された紙葉類は、操作者による操作部２２を介した制御部２０への指示により、停止していた第１ローラ３１と第２ローラ４４が正転し、紙葉類の上端が第２ローラ４４に挟まれる位置まで移動し、次にシャッタ４９が出口部４９側へ切り換えられとともに第２ローラ４４が逆転し紙葉類が出口部４９へ送り出される。
【００５５】
スキャナ部５によって正しく読み取られていないと操作者によって判断された紙葉類は、操作者による操作部２２を介した制御部２０への指示により、シャッタ４９が支持板４６の側に沿った状態で第１ローラ３１と第２ローラ４４が逆転しスキャナ部５へ送られ、スキャナ部５で再読み取りが行われる。操作者は、再読み取りがおこなわれた画像情報を点検し、上記と同様な判断を行い、判断結果に基づいて操作部２２を介して指示する。
【００５６】
上述のように、本発明の実施の形態によれば、紙葉類の搬送に伴うブレや位置ずれによる読み取り誤りが生じた場合であっても、読み取った紙葉類を細断処理する前に点検を行うことができ、不本意に紙葉類の画像情報を失うことを確実に回避することができる。
【００５７】
また、スキャナ部５による読み取り誤りがあった場合においても、操作者の手動に依らず自動的に再読み取りを行うことができる。
【００５８】
また、保管部９はスキャナ部５からシュレーダ部１２への紙葉類の搬送を兼ねる第１ローラ３１と第２ローラ４４とから構成されているので、文書処理装置を極めて簡易に構成することができる。
【００５９】
また、出口部５４とシャッタ４９が設けられているので、細断すべきでないと判断された紙葉類を入口部２とは別の出口部５４へ戻すことができる。また、操作者は出口部５４へ戻された紙葉類を１枚毎に取り出す必要がなく、複数枚を出口部５４に貯めておき、まとめて紙葉類を取り出すことも可能になる。
【００６０】
【発明の効果】
以上説明したように、本発明の構成によれば、スキャン処理して保存した画像情報を点検した結果に基づき、文書の再読み取り、文書の細断、あるいは文書の外部への取り出しを自動的に行うことが可能な文書処理装置を提供することができる。
【図面の簡単な説明】
【図１】本発明の第１の実施形態の文書処理装置の概略構成を示す図。
【図２】本発明の第２の実施形態の文書処理装置の概略構成を示す図。
【図３】本発明の第３の実施形態の文書処理装置の概略構成を示す図。
【符号の説明】
２  入口部
３、１０  フィードローラ
５  スキャナ部
７、３１  第１ローラ
８、３２、４４  第２ローラ
９、３４、５０  保管部
１２  シュレーダ部
２０  制御部
２１  画像表示部
２２  操作部
３６、４９  シャッタ
５４  出口部
【図１】
2004228684.tif 000003
【図２】
2004228684.tif 000004
【図３】
2004228684.tif 000005